【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】データ送受信装置、データ受信装置、データ送受信方法及びデータ送信装置
【手続補正２】
【補正対象書類名】明細書
【補正対象項目名】特許請求の範囲
【補正方法】変更
【補正の内容】
【特許請求の範囲】
【請求項１】
複数のデータが記憶されている第１の記憶部と、
送信されてきたユーザからの要求情報に基づいて上記第１の記憶部に記憶されているデータを検索する検索部と、
上記検索部によって検索されたデータを送信するとともに、上記送信されてきたユーザからの要求情報を受信して上記探索部に供給する第１の送受信部と、
上記第１の送受信部から送信されてきたデータを受信するとともに、上記ユーザからの要求情報を送信する第２の送受信部とを備え、
上記第２の送受信部は、上記第１の送受信部から送信されてきたデータが新たに上記第１の記憶部に記憶されたデータであるか否かを判別する判別部と、上記判別部による判別結果が新たに上記第１の記憶部に記憶されたデータであることを示している場合に上記第１の送受信部から送信されてきたデータを記憶する第２の記憶部を有することを特徴とするデータ送受信装置。
【請求項２】
上記第２の送受信部は、上記判別部による判別結果が新たに上記第１の記憶部に記憶されたデータである場合に、上記第１の送受信部から送信されてきたデータを再生する再生部を更に有することを特徴とする請求項１記載のデータ送受信装置。
【請求項３】
上記第１の送受信部は、上記検索部によって検索されたデータを送信する際に、送信するデータが新たに上記第１の記憶部に記憶されたデータである場合に、上記新たに上記第１の記憶部に記憶されたデータであることを示す付加データを付加して送信することを特徴とする請求項１記載のデータ送受信装置。
【請求項４】
上記判定部は、上記付加データに基づいて上記第１の送受信部から送信されてきたデータが新たに上記第１の記憶部に記憶されたデータであるか否かを判別することを特徴とする請求項３記載のデータ送受信装置。
【請求項５】
上記第２の送受信部は、ユーザが課金を支払う意志を示すデータを含む上記ユーザからの要求情報を生成して上記第１の送受信部に送信することを特徴とする請求項１記載のデータ送受信装置。
【請求項６】
上記第１の送受信部は、上記第２の送受信部から送信されてきたユーザが課金を支払う意志を示すデータに基づいて上記検索部によって検索されたデータの上記第２の送受信部への送信モードを切り換えることを特徴とする請求項５記載のデータ送受信装置。
【請求項７】
上記第１の送受信部は、上記検索部によって検索されたデータが新たに上記第１の記憶部に記憶されたデータである場合に上記第２の送受信部から送信されてきたユーザからの要求情報を課金を支払う意志を示すデータに基づいて上記第２の送受信部への送信モードを切り換えることを特徴とする請求項６記載のデータ送受信装置。
【請求項８】
上記第１の送受信部は、上記第２の送受信部から送信されてきたユーザからの要求情報の課金を支払う意志を示すデータがユーザが課金を支払う意志のあることを表しているときには上記新たに上記第１の記憶部に記憶されたデータを上記第１の記憶部に記憶されている他のデータを送信するときと同じデータ品質で上記第２の送受信部に送信することを特徴とする請求項７記載のデータ送受信装置。
【請求項９】
上記第１の送受信部は、上記第２の送受信部から送信されてきたユーザからの要求情報の課金を支払う意志を示すデータがユーザが課金を支払う意志の無いことを表しているときには上記新たに上記第１の記憶部に記憶されたデータを上記第１の記憶部に記憶されている他のデータを送信するときのデータ品質よりも低いデータ品質で上記第２の送受信部に送信することを特徴とする請求項８記載のデータ送受信装置。
【請求項１０】
上記第２の送受信部は、ジャンル指定情報を含むユーザからの要求情報を生成して上記第１の送受信部に送信することを特徴とする請求項１記載のデータ送受信装置。
【請求項１１】
上記第２の送受信部は、上記第２の記憶部に記憶されているデータを再生する際にユーザが課金を支払う意志がある場合には、上記新たに上記第１の記憶部に記憶されたデータ以外のデータを再生する場合と同様の再生状態で再生することを特徴とする請求項１０記載のデータ送受信装置。
【請求項１２】
上記第２の送受信部は、上記第２の記憶部に記憶されているデータを再生する際にユーザが課金を支払う意志がある場合には、課金に関する情報を上記第１の送受信部に送信することを特徴とする請求項１１記載のデータ送受信装置。
【請求項１３】
上記第１の送受信部は、上記第２の送受信部から送信されてきた課金に関する情報に基づいて課金処理を行うことを特徴とする請求項１２記載のデータ送受信装置。
【請求項１４】
上記第１の送受信部は、上記課金処理が終了したこと示すデータを上記第２の送受信部に送信し、上記第２の送受信部は上記課金処理が終了したこと示すデータに基づいて上記再生される上記第２の記憶部に記憶されているデータに課金処理が終了していることを示す課金データを付加することを特徴とする請求項１３記載のデータ送受信装置。
【請求項１５】
上記第２の送受信部は、上記課金データに基づいて上記第２の記憶部に記憶されているデータの再生状態を切り換えることを特徴とする請求項１４記載のデータ送受信装置。
【請求項１６】
上記第２の送受信部は、上記第２の記憶部に記憶されているデータを再生する際にユーザが課金を支払う意志が無い場合には、再生状態を中止することを特徴とする請求項１１記載のデータ送受信装置。
【請求項１７】
上記第１の送受信部は、上記第１の送受信部から送信されてきた上記ジャンル指定情報を含むユーザからの要求情報を上記検索部に供給し、上記検索部は上記ジャンル指定情報を含むユーザからの要求情報に基づいて上記第１の記憶部に記憶されているデータを検索し、検索されたデータを上記第２の送受信部に送信することを特徴とする請求項１０記載のデータ送受信装置。
【請求項１８】
ホスト側装置より送信されてきたデータを受信するとともに、ユーザからの要求情報を上記ホスト側装置に送信する送受信部と、
上記送受信部によって受信された上記送信されてきたデータを記憶する記憶部と、
上記送信されてきたデータが新たに上記ホスト側装置に記憶されたデータであるか否かを判別し、判別した結果が新たに上記ホスト側装置に記憶されたデータである場合には、上記送信されてきたデータを上記記憶部に記憶させる制御部と
を備えることを特徴とするデータ受信装置。
【請求項１９】
さらに再生部を備え、上記制御部は、上記送信されてきたデータが新たに上記ホスト側装置に記憶されたデータ以外のデータである場合には、上記送信されてきたデータを上記再生部により再生することを特徴とする請求項１８記載のデータ受信装置。
【請求項２０】
上記制御部は、上記送信されてきたデータが新たに上記ホスト側装置に記憶されたデータであるか否かを判別する判別部を備えることを特徴とする請求項１９記載のデータ受信装置。
【請求項２１】
上記判別部は、上記送信されてきたデータに付加されている新たに上記ホスト側装置に記憶されたデータであることを示す付加データに基づいて上記送信されてきたデータが新たに上記ホスト側装置に記憶されたデータであるか否かを判別することを特徴とする請求項２０記載のデータ受信装置。
【請求項２２】
上記送受信部は、ユーザが課金を支払う意志を示すデータを含む上記ユーザからの要求情報を生成して上記ホスト側装置に送信することを特徴とする請求項１８記載のデータ受信装置。
【請求項２３】
上記送受信部は、ジャンル指定情報を含むユーザからの要求情報を生成して上記ホスト側装置に送信することを特徴とする請求項１８記載のデータ受信装置。
【請求項２４】
上記制御部は、上記記憶部に記憶されているデータを再生する際にユーザが課金を支払う意志がある場合には、上記新たに上記ホスト側装置に記憶されたデータ以外のデータを再生する場合と同様の再生状態で再生することを特徴とする請求項２３記載のデータ受信装置。
【請求項２５】
上記制御部は、上記記憶部に記憶されているデータを再生する際にユーザが課金を支払う意志がある場合には、課金に関する情報を上記送受信部より上記ホスト側装置に送信することを特徴とする請求項２４記載のデータ受信装置。
【請求項２６】
上記制御部は、上記課金に関する情報に基づいて課金処理が終了した後に上記記憶部に記憶されているデータに課金処理が終了していることを示す課金データを付加することを特徴とする請求項２５記載のデータ受信装置。
【請求項２７】
上記制御部は、上記課金データに基づいて上記記憶部に記憶されているデータの再生状態を切り換えることを特徴とする請求項２６記載のデータ受信装置。
【請求項２８】
上記制御部は、上記記憶部に記憶されているデータを再生する際にユーザが課金を支払う意志が無い場合には、再生状態を中止することを特徴とする請求項２４記載のデータ受信装置。
【請求項２９】
ホスト側装置に送信されてきたユーザからの要求情報に基づいて第１の記憶部に記憶されている複数のデータを検索し、
検索されたデータを上記ホスト側装置から端末側装置に送信し、
上記送信されてきたデータが新たに上記第１の記憶部に記憶されたデータであるか否かを判別し、
上記判別結果が新たに上記第１の記憶部に記憶されたデータであることを示している場合には上記送信されてきたデータを上記端末側装置の第２の記憶部に記憶する
ことを特徴とするデータ送受信方法。
【請求項３０】
上記判別結果が新たに上記ホスト側装置に記憶されたデータ以外のデータである場合には、上記送信されてきたデータを上記端末側装置で再生することを特徴とする請求項２９記載のデータ送受信方法。
【請求項３１】
上記検索されたデータを送信する際に、送信するデータが新たに上記第１の記憶部に記憶されたデータである場合には、上記新たに上記第１の記憶部に記憶されたデータである事を示す付加データを付加して送信することを特徴とする請求項２９記載のデータ送受信方法。
【請求項３２】
上記付加データに基づいて上記送信されてきたデータが新たに上記第１の記憶部に記憶されたデータであるか否かを判別することを特徴とする請求項３１記載のデータ送受信方法。
【請求項３３】
ユーザが課金を支払う意志を示すデータを含む上記ユーザからの要求情報を生成して上記端末側装置から上記ホスト側装置に送信することを特徴とする請求項２９記載のデータ送受信方法。
【請求項３４】
上記端末側装置から送信されてきたユーザからの課金を支払う意志を示すデータに基づいて上記検索されたデータの送信モードを切り換えることを特徴とする請求項３３記載のデータ送受信方法。
【請求項３５】
上記検索されたデータが新たに上記第１の記憶部に記憶されたデータである場合に上記端末側装置から送信されてきたユーザからの課金を支払う意志を示すデータに基づいて上記端末側装置への送信モードを切り換えることを特徴とする請求項３４記載のデータ送受信方法。
【請求項３６】
上記端末側装置から送信されてきたユーザからの課金を支払う意志を示すデータがユーザが課金を支払う意志のあることを表しているときには上記新たに上記第１の記憶部に記憶されたデータを上記第１の記憶部に記憶されている他のデータを送信するときと同じデータ品質で上記端末側装置に送信することを特徴とする請求項３５記載のデータ送受信方法。
【請求項３７】
上記端末側装置から送信されてきたユーザからの要求情報の課金を支払う意志を示すデータがユーザが課金を支払う意志の無いことを表しているときには上記新たに上記第１の記憶部に記憶されたデータを上記第１の記憶部に記憶されている他のデータを送信するときのデータ品質よりも低いデータ品質で上記端末側装置に送信することを特徴とする請求項３６記載のデータ送受信方法。
【請求項３８】
ジャンル指定情報を含むユーザからの要求情報を生成して上記ホスト側装置に送信することを特徴とする請求項２９記載のデータ送受信方法。
【請求項３９】
上記第２の記憶部に記憶されているデータを再生する際にユーザが課金を支払う意志がある場合には、上記新たに上記第１の記憶部に記憶されたデータ以外のデータを再生する場合と同様の再生状態で再生することを特徴とする請求項３８記載のデータ送受信方法。
【請求項４０】
上記第２の記憶部に記憶されているデータを再生する際にユーザが課金を支払う意志がある場合には、課金に関する情報を上記ホスト側装置に送信することを特徴とする請求項３９記載のデータ送受信方法。
【請求項４１】
上記端末側装置から送信されてきた課金に関する情報に基づいて課金処理を行うことを特徴とする請求項４０記載のデータ送受信方法。
【請求項４２】
上記課金処理が終了したこと示すデータを上記端末側装置に送信し、上記端末側装置で上記課金処理が終了したこと示すデータに基づいて上記再生される上記第２の記憶部に記憶されているデータに課金処理が終了していることを示す課金データを付加することを特徴とする請求項４１記載のデータ送受信方法。
【請求項４３】
上記課金データに基づいて上記第２の記憶部に記憶されているデータの再生状態を切り換えることを特徴とする請求項４２記載のデータ送受信方法。
【請求項４４】
上記第２の記憶部に記憶されているデータを再生する際にユーザが課金を支払う意志が無い場合には、再生状態を中止することを特徴とする請求項３９記載のデータ送受信方法。
【請求項４５】
上記第端末側装置から送信されてきた上記ジャンル指定情報を含むユーザからの要求情報に基づいて上記第１の記憶部に記憶されているデータを検索し、検索されたデータを上記端末側装置に送信することを特徴とする請求項３８記載のデータ送受信方法。
【請求項４６】
複数のデータが記憶されている記憶部と、
端末側装置から送信されてきたユーザが課金を支払う意志を示すデータを含むユーザからの要求情報に基づいて上記記憶部に記憶されているデータを検索する検索部と、
上記端末側装置から送信されてきた上記ユーザからの要求情報を受信して上記検索部に供給し、上記検索部によって検索されたデータを上記端末側装置に送信する送受信部とを備え、
上記送受信部は、上記ユーザからの要求情報の課金を支払う意志を示すデータに基づいて上記検索部によって検索されたデータの上記端末側装置への送信モードを切り換えることを特徴とするデータ送信装置。
【請求項４７】
上記送受信部は、上記検索部によって検索されたデータが新たに上記記憶部に記憶されたデータである場合に上記端末側装置から送信されてきたユーザからの要求情報の課金を支払う意志を示すデータに基づいて上記端末側装置への送信モードを切り換えることを特徴とする請求項４６記載のデータ送信装置。
【請求項４８】
上記送受信部は、上記端末側装置から送信されてきたユーザからの要求情報の課金を支払う意志を示すデータがユーザが課金を支払う意志のあることを表しているときには上記新たに上記記憶部に記憶されたデータを上記記憶部に記憶されている他のデータを送信するときと同じデータ品質で上記端末側装置に送信することを特徴とする請求項４７記載のデータ送信装置。
【請求項４９】
上記送受信部は、上記端末側装置から送信されてきたユーザからの要求情報の課金を支払う意志を示すデータがユーザが課金を支払う意志の無いことを表しているときには上記新たに上記記憶部に記憶されたデータを上記記憶部に記憶されている他のデータを送信するときのデータ品質よりも低いデータ品質で上記端末側装置に送信することを特徴とする請求項４８記載のデータ送信装置。
【手続補正３】
【補正対象書類名】明細書
【補正対象項目名】０００１
【補正方法】変更
【補正の内容】
【０００１】
【発明の属する技術分野】
本発明は、データ送受信装置、データ受信装置、データ送受信方法及びデータ送信装置に関し、例えばデジタルデータの配信を行うデータサービスシステム等に好適に用いられる。
【手続補正４】
【補正対象書類名】明細書
【補正対象項目名】０００５
【補正方法】変更
【補正の内容】
【０００５】
本発明は、上述のような実情に鑑みて提案されたものであり、新情報のデータについて受信側で自動的にダウンロードすることのできるデータ送受信装置、データ受信装置、データ送受信方法及びデータ送信装置を提供することを目的とする。
【手続補正５】
【補正対象書類名】明細書
【補正対象項目名】０００６
【補正方法】変更
【補正の内容】
【０００６】
【課題を解決するための手段】
本発明に係るデータ送受信装置は、上述の課題を解決するため、複数のデータが記憶されている第１の記憶部と、送信されてきたユーザからの要求情報に基づいて上記第１の記憶部に記憶されているデータを検索する検索部と、上記検索部によって検索されたデータを送信するとともに、上記送信されてきたユーザからの要求情報を受信して上記探索部に供給する第１の送受信部と、上記第１の送受信部から送信されてきたデータを受信するとともに、上記ユーザからの要求情報を送信する第２の送受信部とを備え、上記第２の送受信部は、上記第１の送受信部から送信されてきたデータが新たに上記第１の記憶部に記憶されたデータであるか否かを判別する判別部と、上記判別部による判別結果が新たに上記第１の記憶部に記憶されたデータであることを示している場合に上記第１の送受信部から送信されてきたデータを記憶する第２の記憶部を有することを特徴とする。
【手続補正６】
【補正対象書類名】明細書
【補正対象項目名】０００７
【補正方法】変更
【補正の内容】
【０００７】
本発明に係るデータ送受信装置において、上記第２の送受信部は、例えば、上記判別部による判別結果が新たに上記第１の記憶部に記憶されたデータである場合に、上記第１の送受信部から送信されてきたデータを再生する再生部を更に有する。
また、本発明に係るデータ送受信装置において、上記第１の送受信部は、例えば、上記検索部によって検索されたデータを送信する際に、送信するデータが新たに上記第１の記憶部に記憶されたデータである場合に、上記新たに上記第１の記憶部に記憶されたデータであることを示す付加データを付加して送信する。
また、本発明に係るデータ送受信装置において、上記判定部は、上記付加データに基づいて上記第１の送受信部から送信されてきたデータが新たに上記第１の記憶部に記憶されたデータであるか否かを判別する。
【手続補正７】
【補正対象書類名】明細書
【補正対象項目名】０００８
【補正方法】変更
【補正の内容】
【０００８】
また、本発明に係るデータ送受信装置において、上記第２の送受信部は、ユーザが課金を支払う意志を示すデータを含む上記ユーザからの要求情報を生成して上記第１の送受信部に送信する。そして、上記第１の送受信部は、上記第２の送受信部から送信されてきたユーザが課金を支払う意志を示すデータに基づいて上記検索部によって検索されたデータの上記第２の送受信部への送信モードを切り換える。
また、本発明に係るデータ送受信装置において、上記第１の送受信部は、上記検索部によって検索されたデータが新たに上記第１の記憶部に記憶されたデータである場合に上記第２の送受信部から送信されてきたユーザからの要求情報を課金を支払う意志を示すデータに基づいて上記第２の送受信部への送信モードを切り換える。また、上記第１の送受信部は、上記第２の送受信部から送信されてきたユーザからの要求情報の課金を支払う意志を示すデータがユーザが課金を支払う意志のあることを表しているときには上記新たに上記第１の記憶部に記憶されたデータを上記第１の記憶部に記憶されている他のデータを送信するときと同じデータ品質で上記第２の送受信部に送信する。さらに、上記第１の送受信部は、上記第２の送受信部から送信されてきたユーザからの要求情報の課金を支払う意志を示すデータがユーザが課金を支払う意志の無いことを表しているときには上記新たに上記第１の記憶部に記憶されたデータを上記第１の記憶部に記憶されている他のデータを送信するときのデータ品質よりも低いデータ品質で上記第２の送受信部に送信する。
【手続補正８】
【補正対象書類名】明細書
【補正対象項目名】０００９
【補正方法】変更
【補正の内容】
【０００９】
また、本発明に係るデータ送受信装置において、上記第２の送受信部は、ジャンル指定情報を含むユーザからの要求情報を生成して上記第１の送受信部に送信する。また、上記第２の送受信部は、上記第２の記憶部に記憶されているデータを再生する際にユーザが課金を支払う意志がある場合には、上記新たに上記第１の記憶部に記憶されたデータ以外のデータを再生する場合と同様の再生状態で再生する。また、上記第２の送受信部は、上記第２の記憶部に記憶されているデータを再生する際にユーザが課金を支払う意志がある場合には、課金に関する情報を上記第１の送受信部に送信する。
また、本発明に係るデータ送受信装置において、上記第１の送受信部は、上記第２の送受信部から送信されてきた課金に関する情報に基づいて課金処理を行う。
【手続補正９】
【補正対象書類名】明細書
【補正対象項目名】００１０
【補正方法】変更
【補正の内容】
【００１０】
また、本発明に係るデータ送受信装置において、上記第１の送受信部は、上記課金処理が終了したこと示すデータを上記第２の送受信部に送信し、上記第２の送受信部は上記課金処理が終了したこと示すデータに基づいて上記再生される上記第２の記憶部に記憶されているデータに課金処理が終了していることを示す課金データを付加する。
また、本発明に係るデータ送受信装置において、上記第２の送受信部は、上記課金データに基づいて上記第２の記憶部に記憶されているデータの再生状態を切り換える。また、上記第２の送受信部は、上記第２の記憶部に記憶されているデータを再生する際にユーザが課金を支払う意志が無い場合には、再生状態を中止する。
さらに、本発明に係るデータ送受信装置において、上記第１の送受信部は、上記第１の送受信部から送信されてきた上記ジャンル指定情報を含むユーザからの要求情報を上記検索部に供給し、上記検索部は上記ジャンル指定情報を含むユーザからの要求情報に基づいて上記第１の記憶部に記憶されているデータを検索し、検索されたデータを上記第２の送受信部に送信する。
【手続補正１０】
【補正対象書類名】明細書
【補正対象項目名】００１１
【補正方法】変更
【補正の内容】
【００１１】
本発明に係るデータ受信装置は、ホスト側装置より送信されてきたデータを受信するとともに、ユーザからの要求情報を上記ホスト側装置に送信する送受信部と、上記送受信部によって受信された上記送信されてきたデータを記憶する記憶部と、上記送信されてきたデータが新たに上記ホスト側装置に記憶されたデータであるか否かを判別し、判別した結果が新たに上記ホスト側装置に記憶されたデータである場合には、上記送信されてきたデータを上記記憶部に記憶させる制御部とを備えることを特徴とする。
本発明に係るデータ受信装置は、さらに再生部を備え、上記制御部は、上記送信されてきたデータが新たに上記ホスト側装置に記憶されたデータ以外のデータである場合には、上記送信されてきたデータを上記再生部により再生する。
【手続補正１１】
【補正対象書類名】明細書
【補正対象項目名】００１２
【補正方法】変更
【補正の内容】
【００１２】
また、本発明に係るデータ受信装置において、上記制御部は、上記送信されてきたデータが新たに上記ホスト側装置に記憶されたデータであるか否かを判別する判別部を備える。上記判別部は、上記送信されてきたデータに付加されている新たに上記ホスト側装置に記憶されたデータであることを示す付加データに基づいて上記送信されてきたデータが新たに上記ホスト側装置に記憶されたデータであるか否かを判別する。
また、本発明に係るデータ受信装置において、上記送受信部は、ユーザが課金を支払う意志を示すデータを含む上記ユーザからの要求情報を生成して上記ホスト側装置に送信する。また、記送受信部は、ジャンル指定情報を含むユーザからの要求情報を生成して上記ホスト側装置に送信する。そして、上記制御部は、上記記憶部に記憶されているデータを再生する際にユーザが課金を支払う意志がある場合には、上記新たに上記ホスト側装置に記憶されたデータ以外のデータを再生する場合と同様の再生状態で再生する。
また、本発明に係るデータ受信装置において、上記制御部は、上記記憶部に記憶されているデータを再生する際にユーザが課金を支払う意志がある場合には、課金に関する情報を上記送受信部より上記ホスト側装置に送信する。上記制御部は、例えば、上記課金に関する情報に基づいて課金処理が終了した後に上記記憶部に記憶されているデータに課金処理が終了していることを示す課金データを付加する。そして、上記制御部は、上記課金データに基づいて上記記憶部に記憶されているデータの再生状態を切り換える。また、上記制御部は、上記記憶部に記憶されているデータを再生する際にユーザが課金を支払う意志が無い場合には、再生状態を中止する。
【手続補正１２】
【補正対象書類名】明細書
【補正対象項目名】００１３
【補正方法】変更
【補正の内容】
【００１３】
本発明に係るデータ送受信方法は、ホスト側装置に送信されてきたユーザからの要求情報に基づいて第１の記憶部に記憶されている複数のデータを検索し、検索されたデータを上記ホスト側装置から端末側装置に送信し、上記送信されてきたデータが新たに上記第１の記憶部に記憶されたデータであるか否かを判別し、上記判別結果が新たに上記第１の記憶部に記憶されたデータであることを示している場合には上記送信されてきたデータを上記端末側装置の第２の記憶部に記憶することを特徴とする。
本発明に係るデータ送受信方法において、上記判別結果が新たに上記ホスト側装置に記憶されたデータ以外のデータである場合には、上記送信されてきたデータを上記端末側装置で再生する。
【手続補正１３】
【補正対象書類名】明細書
【補正対象項目名】００１４
【補正方法】変更
【補正の内容】
【００１４】
また、本発明に係るデータ送受信方法において、上記検索されたデータを送信する際に、送信するデータが新たに上記第１の記憶部に記憶されたデータである場合には、上記新たに上記第１の記憶部に記憶されたデータである事を示す付加データを付加して送信する。そして、上記付加データに基づいて上記送信されてきたデータが新たに上記第１の記憶部に記憶されたデータであるか否かを判別する。
また、本発明に係るデータ送受信方法では、ユーザが課金を支払う意志を示すデータを含む上記ユーザからの要求情報を生成して上記端末側装置から上記ホスト側装置に送信する。そして、上記端末側装置から送信されてきたユーザからの課金を支払う意志を示すデータに基づいて上記検索されたデータの送信モードを切り換える。
また、本発明に係るデータ送受信方法において、上記検索されたデータが新たに上記第１の記憶部に記憶されたデータである場合に上記端末側装置から送信されてきたユーザからの課金を支払う意志を示すデータに基づいて上記端末側装置への送信モードを切り換える。
また、本発明に係るデータ送受信方法では、上記端末側装置から送信されてきたユーザからの課金を支払う意志を示すデータがユーザが課金を支払う意志のあることを表しているときには上記新たに上記第１の記憶部に記憶されたデータを上記第１の記憶部に記憶されている他のデータを送信するときと同じデータ品質で上記端末側装置に送信する。
また、本発明に係るデータ送受信方法では、上記端末側装置から送信されてきたユーザからの要求情報の課金を支払う意志を示すデータがユーザが課金を支払う意志の無いことを表しているときには上記新たに上記第１の記憶部に記憶されたデータを上記第１の記憶部に記憶されている他のデータを送信するときのデータ品質よりも低いデータ品質で上記端末側装置に送信する。
また、本発明に係るデータ送受信方法では、ジャンル指定情報を含むユーザからの要求情報を生成して上記ホスト側装置に送信する。
また、本発明に係るデータ送受信方法において、上記第２の記憶部に記憶されているデータを再生する際にユーザが課金を支払う意志がある場合には、上記新たに上記第１の記憶部に記憶されたデータ以外のデータを再生する場合と同様の再生状態で再生する。
また、本発明に係るデータ送受信方法において、上記第２の記憶部に記憶されているデータを再生する際にユーザが課金を支払う意志がある場合には、課金に関する情報を上記ホスト側装置に送信する。そして、上記端末側装置から送信されてきた課金に関する情報に基づいて課金処理を行う。
また、本発明に係るデータ送受信方法では、上記課金処理が終了したこと示すデータを上記端末側装置に送信し、上記端末側装置で上記課金処理が終了したこと示すデータに基づいて上記再生される上記第２の記憶部に記憶されているデータに課金処理が終了していることを示す課金データを付加する。
また、本発明に係るデータ送受信方法では、上記課金データに基づいて上記第２の記憶部に記憶されているデータの再生状態を切り換える。上記第２の記憶部に記憶されているデータを再生する際にユーザが課金を支払う意志が無い場合には、再生状態を中止する。
さらに、本発明に係るデータ送受信方法では、上記第端末側装置から送信されてきた上記ジャンル指定情報を含むユーザからの要求情報に基づいて上記第１の記憶部に記憶されているデータを検索し、検索されたデータを上記端末側装置に送信する。
【手続補正１４】
【補正対象書類名】明細書
【補正対象項目名】００１５
【補正方法】変更
【補正の内容】
【００１５】
本発明に係るデータ送信装置は、複数のデータが記憶されている記憶部と、端末側装置から送信されてきたユーザが課金を支払う意志を示すデータを含むユーザからの要求情報に基づいて上記記憶部に記憶されているデータを検索する検索部と、上記端末側装置から送信されてきた上記ユーザからの要求情報を受信して上記検索部に供給し、上記検索部によって検索されたデータを上記端末側装置に送信する送受信部とを備え、上記送受信部は、上記ユーザからの要求情報の課金を支払う意志を示すデータに基づいて上記検索部によって検索されたデータの上記端末側装置への送信モードを切り換えることを特徴とする。
本発明に係るデータ送信装置において、上記送受信部は、上記検索部によって検索されたデータが新たに上記記憶部に記憶されたデータである場合に上記端末側装置から送信されてきたユーザからの要求情報の課金を支払う意志を示すデータに基づいて上記端末側装置への送信モードを切り換える。また、上記送受信部は、上記端末側装置から送信されてきたユーザからの要求情報の課金を支払う意志を示すデータがユーザが課金を支払う意志のあることを表しているときには上記新たに上記記憶部に記憶されたデータを上記記憶部に記憶されている他のデータを送信するときと同じデータ品質で上記端末側装置に送信する。さらに、上記送受信部は、上記端末側装置から送信されてきたユーザからの要求情報の課金を支払う意志を示すデータがユーザが課金を支払う意志の無いことを表しているときには上記新たに上記記憶部に記憶されたデータを上記記憶部に記憶されている他のデータを送信するときのデータ品質よりも低いデータ品質で上記端末側装置に送信する。
【手続補正１５】
【補正対象書類名】明細書
【補正対象項目名】０１０５
【補正方法】変更
【補正の内容】
【０１０５】
【発明の効果】
以上詳細に説明したように、本発明に係るデータ送受信装置によれば、第１の送受信部は送信されてきたユーザからの要求情報に基づいて第１の記憶部に記憶されているデータを検索する検索部によって検索されたデータを送信し、第２の送受信部では、上記第１の送受信部から送信されてきたデータが新たに上記第１の記憶部に記憶されたデータであるか否かを判別する判別部による判別結果が新たに上記第１の記憶部に記憶されたデータであることを示している場合に上記第１の送受信部から送信されてきたデータを第２の記憶部に記憶するので新情報について受信側で自動的にダウンロードすることが可能となる。
【手続補正１６】
【補正対象書類名】明細書
【補正対象項目名】０１０６
【補正方法】変更
【補正の内容】
【０１０６】
また、本発明に係るデータ受信装置では、ホスト側装置より送信されてきたデータを受信するとともに、ユーザからの要求情報を上記ホスト側装置に送信する送受信部によって受信された上記送信されてきたデータを記憶部に記憶する際に、制御部により、上記送信されてきたデータが新たに上記ホスト側装置に記憶されたデータであるか否かを判別し、判別した結果が新たに上記ホスト側装置に記憶されたデータである場合には、上記送信されてきたデータを上記記憶部に記憶させるので、新情報について受信側で自動的にダウンロードすることが可能となる。
【手続補正１７】
【補正対象書類名】明細書
【補正対象項目名】０１０７
【補正方法】変更
【補正の内容】
【０１０７】
また、本発明に係るデータ送受信方法によれば、受信したデータについて新情報であるか否かを検出し、新情報と検出された場合に当該データが記憶部に記憶されるので、新情報について受信側で自動的にダウンロードすることが可能となる。
【手続補正１８】
【補正対象書類名】明細書
【補正対象項目名】０１０８
【補正方法】変更
【補正の内容】
【０１０８】
さらに、本発明に係るデータ送信装置では、端末側装置から送信されてきたユーザからの要求情報を送受信部により受信して、上記端末側装置から送信されてきたユーザが課金を支払う意志を示すデータを含むユーザからの要求情報に基づいて記憶部に記憶されているデータを検索部により検索し、上記ユーザからの要求情報の課金を支払う意志を示すデータに基づいて上記検索部によって検索されたデータの上記端末側装置への送信モードを切り換えて、上記送受信部から上記検索部によって検索されたデータを上記端末側装置に送信するので、新情報を自動的にダウンロードすることが可能となる。
【手続補正１９】
【補正対象書類名】明細書
【補正対象項目名】０１０９
【補正方法】変更
【補正の内容】
【０１０９】
以上のように、本発明によれば、新情報のデータについて受信側で自動的にダウンロードすることのできるデータ送受信装置、データ受信装置、データ送受信方法及びデータ送信装置を提供することができる。